(57)【要約】【課題】  ディスペンス時の歪曲の危険性を大幅に低下させるスロット加工または打ち抜き加工を施したラベルを作ること。【解決手段】  ラベル(201)は、一般のブラケット(取付)ラベルと同様、フィルム(202)と接着剤(203)を有する。本ラベルは、剥離線(204)によって2つの機能領域(A)と(B)とに分割され、(A)は基本的に情報供給(例えば印刷によって)の役割を果たし(B)は該ブラケット(取付)の懸架機能を担う。領域(B)は通常、非接着にデザインされるか、又は接着作用を低下するための手段が設けられる。該ブラケット(取付)はラベルが貼付された使用される対象物から手早く剥離でき、剥離の際には接着領域が露出されない。フィルム(205)はフィルム(202)下に位置し、望ましくは接着剤によってフィルム(202)と結合する。下部フィルム(205)を、剥離線(204)に対してわずかオフセットしてさらなる剥離線(206)と共に設ける。【選択図】  図２
2005062878.tif 000002
【特許請求の範囲】
【請求項１】
剥離可能な領域(B)および、剥離可能な領域(B)の一部分の領域(C)が第2領域(A)の一部分の領域(D)に非恒久的に付着固定されている第2領域(A)を有するラベル(201/301)。
【請求項２】
第2領域(A)が接着剤(203/303)の底面側に提供されている請求項1に記載のラベル(201/301)。
【請求項３】
剥離可能な領域(B)が懸架ブラケット(取付)を形成する請求項１又は請求項２に記載のラベル(201/301)。
【請求項４】
第2領域(A)に付着する剥離可能な領域(B)の部分領域(C)が上部フィルム層(202/302)の一部であり、そして剥離可能な領域(B)の部分領域(C)が付着する第2領域(A)の部分領域(D)が下部フィルム層(205/305)の一部である請求項１乃至請求項３の何れか一項に記載のラベル(201/301)。
【請求項５】
剥離可能な領域(B)および第2領域(A)が打抜き加工線、切断線、またはスロット加工線(204、206/304、306)によって互いの領域から剥離されている請求項１乃至請求項４の何れか一項に記載のラベル(201/301)。
【請求項６】
非恒久的に付着した部分領域(C)が接着力を低下する手段(309)を有する請求項１乃至請求項５の何れか一項に記載のラベル(201/301)。
【請求項７】
剥離可能な領域(B)が第2領域(A)と固定する接着剤の付着した部分領域(C)において排他的に接着デザインされている請求項１乃至請求項６の何れか一項に記載のラベル(201/301)。
【発明の詳細な説明】
【発明の詳細な説明】
【０００１】
本発明は、スロット加工または打抜き加工を施した材料を用いるラベルに関するものである。特に、本発明にはブラケット(取付)ラベルの領域における用途がある。
【０００２】
ブラケット(取付)ラベルは先般来から特許文献で知られている。また、本ラベルにより、対象物の表記のみならず、本ラベルが貼付された対象物を懸架することも可能となる。それ故、本ラベルは主として2つの機能領域に分割されており、その第1領域は、容器に固定付着した可能な限り大きな表層部であり、情報供給の役割を果たし、そして第2領域は、ブラケット(取付)ラベルを用いて本ラベルが貼付された容器から剥離されて懸架装置として使用される。
【０００３】
基本的には、単層ブラケット(取付)ラベルと多層ブラケット(取付)ラベルは異なるものである。単層ラベル、例えばDE3907862C2に記載された単層ラベルでは、両機能領域が互いの領域から剥離されることを利用して、粘着性被覆フィルムに入念なスロット加工または打抜き加工が施される。
【０００４】
このタイプのラベルはシンプルであり、そしてコスト効率よく製造することができる。最新技術によるこれら製品の欠点は、しかしながら、懸架領域が情報領域と比べて、入念なスロット加工または打抜き加工のために自由に移動可能なことである。これは、対象物をディスペンスする際の歪曲につながり得る。特に、これはボトルのような曲線状の対象物の場合、および特殊な輸液ボトルような第一線で使用されるブラケット(取付)ラベルの場合に言えることである。ラベルが大きければ大きいほど、生じる歪曲も大きくなる。最新ラベル装置の高ディスペンス速度は、この問題を一層著しく悪化する。
【０００５】
本発明は以上の点から、ディスペンス時の歪曲の危険性を大幅に低下させるスロット加工または打ち抜き加工を施したラベルを作ることを目的とする。すなわち、第1には、より大きなラベルの安全なディスペンスを実現すること、第2には、ディスペンス速度の増加を実現することである。
【０００６】
この目的は、接着可能なラベル領域(懸架領域)の一部の領域と、対象物に固定付着する領域とを非恒久的に接着することよって達成できる。
【０００７】
次に本発明について、図1〜3を参照してさらに詳細に説明する。これらの図は、層厚の半拡大、ノンスケールに基づく検討機能を用いた透視図表示である。
【０００８】
図1は最新技術による単層ブラケット(取付)ラベル101を示す。本ラベルの層構造には、主として少なくとも1つのフィルム102と1つの接着剤103が含まれいる。本ラベルは剥離線104によって2つの機能領域AとBに分割されており、Aは基本的に情報供給の役目を果たし(例えば印刷によって)、そしてBは該ブラケット(取付)の懸架機能を担う。事前に規定したように、本製品には、ディスペンス時の歪曲の危険性があるので、領域Bには、通常、接着性を有するようなデザインも、または接着作用を回避または最小化するための手段も設けない。このようにすれば、該ブラケット(取付)をラベルが貼付された対象物から手早く取ることができ、その際に接着領域が露出されることはない。これは医薬品用途、例えば滅菌環境において極めて重要である。AとBとの間にギャップができ、そしてラベル全体の歪曲につながる応力が生じるように、領域Aと領域B間にある剥離線104に沿った不結合を用いて、ラベル101をディスペンスする際に領域Bを領域Aから容易に除去することができる。そのようなラベルは、とりわけ高感知性の医薬品用途領域においては、ディスペンス後、剥離かつ除去する必要がある。この点から、方法、品質管理、および材料のコストが高くなっている。
【０００９】
図2は、図1と同様に、本発明によるラベル構造201の特に好適な実施例を示す。フィルム202に加えて、基本的に2つの追加機能である接着剤203と剥離線204を包括する。フィルム205はこの時点でフィルム202の下に位置し、望ましくは接着剤によって202と結合さしめる。剥離線204に対してわずかオフセットさせて、下部フィルム205を追加の剥離線206と共に設ける。
【００１０】
図3は同一ラベル構造の概略側面図を示す。ラベル301は、接着層303を用いて対象物307に対して付着する。2つのフィルム層302と305は、さらなる接着層310を用いて互いに結合さしめる。両フィルム層自体を剥離線304と306によって、セクション302aと302bおよび305aと305bにそれぞれ分割する。剥離線304と306は互いに水平にオフセットして位置せしめる。通常、これら剥離線は少なくとも一部分の領域で別々に押圧する。さらに、フィルムセクション305bの領域における接着層303下で、接着作用を回避または低下するための手段308を適用する。あるいは、セクション305a領域のみに接着層303を貼り付けることも可能である。また、剥離線304と306間の305a領域におけるフィルム層305の反対側に、いわゆる放出層309も貼り付ける。この点で、本層は、一般的であるシリコン層として、接着剤310の接着性をこの領域に正確に配置する手段としての機能を果たす。
【００１１】
示したラベルは、2つの領域AとBに分割されている図1および図2に類似しており、それによって、Bは除去可能なブラケット(取付)を形成する。
【００１２】
本発明のこのラベル構造201/301の効果は、2つの層308と309に基づく領域Bが、除去可能な状態にとどまり、それをもって、剥離可能なブラケット(取付)の機能を果たすことができるが、その部分的領域Cにおいて、領域Aの部分的領域Dと結合されることである。さらに、剥離線304が剥離線306よりも本ラベルの中央に近接して位置するときに、本発明の製品は特に有益である。それとともに、領域Bの剥離は基本的にユーザに対して設けるものとする。但し、領域Bをより一層固定する場合には、剥離線を逆にして配置することができる。ディスペンス中、両領域AとBを互いの領域から除去すること、およびその領域と結合する応力の形成、そして最後には、歪曲が生じることは実質的に不可能なことである。
【００１３】
同じことが、本明細書に示したブラケット(取付)ラベルの形態に対してばかりではなく、ブラケット(取付)ラベルに対しても原則的に言える。ラベルが、剥離線によって互いの領域から完全に剥離していない2つの異なる領域に分割される場合には、類似の歪曲が常に生じる。
【図面の簡単な説明】
【００１４】
【図１】最新技術による単層ブラケット(取付)ラベルを示した図である。
【図２】本発明によるラベル構造の特に好適な実施例を示した図である。
【図３】同一ラベル構造の概略側面図である。
【図１】
2005062878.tif 000003
【図２】
2005062878.tif 000004
【図３】
2005062878.tif 000005